(57)【要約】      （修正有）【課題】ユーザの唾液が相手の耳に飛んでしまうのを防止する補聴器を提供する。【解決手段】この補聴器１００では、本体が第一筒部１と第二筒部２とからなり、これら第一筒部１と第二筒部２との間に薄膜４を中央に配したリング体５が設けられている。ユーザは、本体の一方側を相手の耳付近に位置させ又は耳の周囲に押し当て、本体の他方側に向かってユーザが口を向けて話をする。ユーザの声は本体内を伝わり、薄膜４を通過して反対側から出る。ユーザの唾液の飛沫は薄膜４により捕捉されるので、相手方の耳に飛ぶことがない。【選択図】図１
0003155506.tif 000002
【実用新案登録請求の範囲】
【請求項１】
３ｃｍ以上１５ｃｍ以下の内径であって５ｃｍ以上５０ｃｍ未満の長さを有する筒体と、
前記筒体の長手方向の一部で且つ径方向の全体に設けた薄膜と、
を備えたことを特徴とする補聴器。
【請求項２】
前記薄膜は、筒体の略中央に配置されていることを特徴とする請求項１に記載の補聴器。
【請求項３】
前記筒体は、第一筒部と第二筒部とからなり、これら第一筒部と第二筒部との間に前記薄膜を中央に配したリング体が設けられていることを特徴とする請求項１または２に記載の補聴器。
【請求項４】
前記第一筒部と第二筒部は、互いの端部を突合せて係止又は螺合固定され且つ当該突合せ部分で前記薄膜を中央に配したリング体を固定することを特徴とする請求項３に記載の補聴器。
【請求項５】
前記薄膜は、抗菌または抗ウイルス作用を有するフィルターから構成されることを特徴とする請求項１〜４のいずれか一つに記載の補聴器。
【請求項６】
前記リング体が複数組み合わされて用いられることを特徴とする請求項３〜５のいずれか一つに記載の補聴器。
【請求項７】
前記第一筒部と第二筒部とは、第三筒部を介して連結され、前記リング体が、第一筒部と第三筒部との間、又は、第二筒部と第三筒部との間に設けられていることを特徴とする請求項３〜６のいずれか一つに記載の補聴器。
【考案の詳細な説明】
【技術分野】
【０００１】
本考案は、衛生的に使用できる簡単な構造の補聴器に関するものである。
【背景技術】
【０００２】
従来から特許文献１に記載の携帯型伝声器が知られている。この携帯型伝声器は、伸縮自在の筒状の本体の両端に開口を設け、一端を相手方の耳に当てつつ他端をユーザの口元に位置させ、会話を行うものである。
【先行技術文献】
【特許文献】
【０００３】
【特許文献１】特開２００８−１５１３１号公報
【考案の概要】
【考案が解決しようとする課題】
【０００４】
解決しようとする問題点は、ユーザの唾液が相手の耳に飛んでしまうので衛生的でないという点である。
【課題を解決するための手段】
【０００５】
この考案に係る補聴器は、３ｃｍ以上１５ｃｍ以下の内径であって５ｃｍ以上５０ｃｍ未満の長さを有する筒体と、前記筒体の長手方向の一部で且つ径方向の全体に設けた薄膜とを備えたことを特徴とする。
【０００６】
また、この考案に係る補聴器は、上記考案において、前記薄膜は、筒体の略中央に配置されていることを特徴とする。
【０００７】
また、この考案に係る補聴器は、上記考案において、前記筒体は、第一筒部と第二筒部とからなり、これら第一筒部と第二筒部との間に前記薄膜を中央に配したリング体が設けられていることを特徴とする。
【０００８】
また、この考案に係る補聴器は、上記考案において、前記第一筒部と第二筒部は、互いの端部を突合せて係止又は螺合固定され且つ当該突合せ部分で前記薄膜を中央に配したリング体を固定することを特徴とする。
【０００９】
また、この考案に係る補聴器は、上記考案において、前記薄膜は、抗菌または抗ウイルス作用を有するフィルターから構成されることを特徴とする。
【００１０】
また、この考案に係る補聴器は、上記考案において、前記リング体が複数組み合わされて用いられることを特徴とする。
【００１１】
また、この考案に係る補聴器は、上記考案において、前記第一筒部と第二筒部とは、第三筒部を介して連結され、前記リング体が、第一筒部と第三筒部との間、又は、第二筒部と第三筒部との間に設けられていることを特徴とする。
【図面の簡単な説明】
【００１２】
【図１】この考案の実施の形態１にかかる補聴器を示す斜視図である。
【図２】図１に示した補聴器の正面図である。
【図３】図１に示した補聴器の側面図である。
【図４】図１の補聴器の断面図である。
【図５】補聴器の使用状態を示す説明図である。
【図６】この考案の別の実施の形態にかかる補聴器の一部を示す説明図である。
【図７】この考案の別の実施の形態にかかる補聴器の一部を示す説明図である。
【図８】この考案の実施の形態２にかかる補聴器を示す斜視図である。
【図９】図８の補聴器の連結形態を示す断面説明図である。
【図１０】この考案の実施の形態３にかかる補聴器を示す斜視図である。
【図１１】図１０に示した補聴器の正面図である。
【図１２】図１０に示した補聴器の側面図である。
【図１３】図１０の補聴器の断面図である。
【図１４】補聴器に吊り下げ紐を取り付けた場合の一例を示す組立図である。
【図１５】別の実施の形態にかかる補聴器を示す斜視図である。
【図１６】図１５の補聴器の断面図である。
【図１７】この考案の実施の形態４にかかる補聴器を示す側面図である。
【図１８】補聴器の使用状態を示す説明図である。
【図１９】この考案の実施の形態５にかかる補聴器を示す組立図である。
【図２０】この考案の実施の形態５にかかる補聴器を示す組立図である。
【考案を実施するための形態】
【００１３】
（実施の形態１）
図１は、この考案の実施の形態１にかかる補聴器を示す斜視図である。図２は、図１に示した補聴器の正面図である。図３は、図１に示した補聴器の側面図である。この補聴器１００は、本体３である筒体が第一筒体１と第二筒体２とから構成され、各筒体１，２は外側に向かって大径となるコップ形状である。本体３は、全体として３ｃｍ以上１５ｃｍ以下の内径であって５ｃｍ以上５０ｃｍ未満の長さである。当該本体３は、抗菌性または抗ウイルス性の素材から構成するのが好ましい。
【００１４】
第一筒体１と第二筒体２との間には、薄膜４を形成したリング体５が設けられている。第一筒体１の小径側端部６の内側近傍には、リブ７が形成されている。このリブ７と小径側端縁８との間には一定の間隔（具体的には４ｍｍ以上８ｍｍ以下の間隔）が形成されている。同じく第二筒体２の小径側端部９の内側近傍には、リブ１０が形成されている。このリブ１０と小径側端縁１１との間には一定の間隔（具体的には４ｍｍ以上８ｍｍ以下の間隔）が形成されている。第一筒体１と第二筒体２とは、小径側端縁８，１１にて互いに突き合わされ、接着接合されている。第一筒体１および第二筒体２はコップ形状であるが当該小径側には底がない。外側も開口となる。
【００１５】
また、前記薄膜４は、リング体５の中に配置される。リング体５はその外径が前記第一筒体１および第二筒体２の小径側の内径よりも小さい。リング幅は１０ｍｍ以下である。前記薄膜４には、紙、ビニール、ゴム、布、アルミホイル等を用いることができる。また、この薄膜４は、穴が開いたものでも良いし、穴のないものでも良い。穴が開いたものとしては、ガーゼ等の網状のもの、きめが粗い不織布状のもの、微小穴が多数設けられたものを用いることができる。また、穴がないものとしては、フィルム状のものが好ましい。更に前記薄膜は、抗菌性または抗ウイルス性の素材から構成するのが好ましい。
【００１６】
第一筒体１と第二筒体２とを接合する際、図４に示すように、第一筒体１のリブ７と第二筒体２のリブ１０との間に前記リング体５が挟まれるようにする。リング体５の外径は、第一筒体１および第二筒体２との小径側の内径より小さいが、リブ７，１０の内径よりも大きいので、このリブ７，１０に挟まれる形になって本体３内に固定される。
【００１７】
第一筒体１、第二筒体２およびリング体５は、比較的硬質の腰が強い紙から構成される。前記薄膜４を紙にした場合には補聴器全体が紙製となるので、使用後のリサイクルが容易である。特に、病院内の手術室で用いるような場合には、全体を紙製にしてリサイクルできるようにしたほうが衛生的にも環境的にも好ましい。
【００１８】
図５は、この補聴器の使用状態を示す説明図である。ユーザＵは、本体３の一方側を相手Ａの耳付近に位置させ又は耳の周囲に押し当てる。本体は３、その内径が３ｃｍ以上１５ｃｍ以下であるから、耳に向けたり又は押し当てたりするのにちょうど良い寸法である。また、本体３の他方側に向かってユーザＵが口を向けて話をする。ユーザＵの声は本体内を伝わり、前記薄膜４を通過して反対側から出る。ユーザＵの唾液の飛沫は薄膜４により捕捉される。この薄膜４に穴がない場合には、飛沫が完全にユーザ側の筒体内に閉じ込められ、薄膜４にて他方の筒体に入ることがない。また、ガーゼ等の穴を有する素材であっても、ある程度の飛沫はこの薄膜４にて捕捉されるので、相手方Ａの耳に飛ぶことがない。
【００１９】
更に、抗菌性または抗ウイルス性の素材を薄膜４に用いた場合には、ユーザＵから相手方Ａに対して感染を生じさせることがない。また、別のユーザが用いたときに、ユーザ同士で感染を起こすことがない。抗菌性または抗ウイルス性の素材は、薄膜４のみならず本体全体に用いるのが好ましい。
【００２０】
以上、この考案の補聴器１００は、ユーザＵの声を相手方Ａに伝える際に、本体３の中央付近に配置した薄膜４によりユーザＵの唾液の飛沫を補足し、相手方Ａの耳に付着するのを防止できる。このため、ユーザＵと相手方Ａとの間で感染を起こすことがない。また、相手Ａに不快な思いをさせることがない。
【００２１】
図６は、この考案の別の実施の形態にかかる補聴器の一部を示す説明図である。上記実施の形態１の補聴器１００の第一筒体１と第二筒体２との接合を接着でなく、係止構造とした点に特徴がある。第二筒体２の底部２１には差込フック２２が形成されており、第一筒体１の底部２３には前記差込フック２２を差し込む切口２４が設けられている。その他の構成は実施の形態１の補聴器１００と同じであるからその説明を省略する。
【００２２】
第一筒体１と第二筒体２との間に薄膜４を設けたリング体５を配置し、第一筒体１の底部２３と第二筒体２の底部２１とを突き合わせ、相対的に回転させて前記差込フック２２を切口２４に差し込む。差込フック２２の先端は三角形状になっており、切口２４に差し込みやすくなっている。また、この状態で底部２１，２３にテープを貼り付けるとより強固に第一筒体１と第二筒体２とが接合される（図示省略）。
【００２３】
図７は、この考案の別の実施の形態にかかる補聴器の一部を示す説明図である。この上記実施の形態１の補聴器１００の第一筒体１と第二筒体２との接合を接着でなく、輪ゴム３０による固定構造とした点に特徴がある。その他の構成は実施の形態１の補聴器１００と同じであるからその説明を省略する。第一筒体１と第二筒体２には、半円状の切口３１，３２が設けられている。半円形の山は互いに反対に向いている。
【００２４】
第一筒体１と第二筒体２との間に薄膜４を設けたリング体５を配置し、第一筒体１の底部２３と第二筒体２の底部２１とを突き合わせる。そして、第一筒体１と第二筒体２の各切口３１，３２に輪ゴム３０を入れ渡し、第一筒体１と第二筒体２とを連結する。このようにすれば、輪ゴム３０により簡単に連結できるし、輪ゴム３０を外すだけで第一筒体１と第二筒体２とを分離できる。
【００２５】
（実施の形態２）
図８は、この考案の実施の形態２にかかる補聴器を示す斜視図である。図９は、図８の補聴器の連結形態を示す断面説明図である。この補聴器２００は、第一筒体１及び第二筒体２は実施の形態１と同じ構成であるが、底部２１，２３側面に係止用の四角い穴４１，４２が設けられている点が異なる。その他は同じ構成であるので説明を省略する。また、薄膜４を中央に備えたリング体５の内径は、第一筒体１及び第二筒体２の底部２１，２３の外径より大きく、当該底部２１，２３はリング体５に挿入可能である。リング体５の内側面には、断面が直角三角形となる突起４３が設けられている。この突起４３は、斜面が外側を向いている。その他の構成は実施の形態１のリング体５と同じであるからその説明を省略する。
【００２６】
第一筒体１と第二筒体２の底部２１，２３をリング体５に挿入すると、底部２１，２３が斜面に従って少し変形しながら前記突起４３を越え、突起４３が穴４１，４２に入り込む。これによりリング体５と第一筒部１及び第二筒部２とが連結され、容易に抜けることがない。なお、当該構成を採用する場合、リング体５は樹脂製とするのが好ましい。
【００２７】
（実施の形態３）
図１０は、この考案の実施の形態３にかかる補聴器を示す斜視図である。図１１は、図１０に示した補聴器の正面図である。図１２は、図１０に示した補聴器の側面図である。この補聴器３００は、本体３０３である当該筒体が第一筒体３０１と第二筒体３０２とから構成され、各筒体３０１，３０２は外側に向かって大径となるコップ形状である。本体３０３は、全体として３ｃｍ以上１５ｃｍ以下の内径であって５ｃｍ以上５０ｃｍ未満の長さである。当該本体３０３は樹脂製であり、好ましくは抗菌性または抗ウイルス性の材料とする。第一筒体３０１と第二筒体３０２との間には、薄膜４を形成したリング体５が設けられている。
【００２８】
第一筒体３０１の小径側端部３０６の内側近傍には、リブ３０７が形成されている。このリブ３０７と小径側端縁３０８との間には一定の間隔が形成されている。また、当該内側には雌ネジ３２０が設けられている。一方、第二筒体３０２の小径側端部３０９の外側近傍は、第一筒体３０１の小径側端部３０６の内径より小さい外径となり、且つ、雄ネジ３２１が形成されている。更に、第二筒体３０２の小径側端部３０９の内側には、一定の長さ（リング体５の幅より大きい）の段部３２２が形成されている。段部３２２の直径は前記リング体５の外径と略同じである。
【００２９】
第一筒体３０１と第二筒体３０２とは、図１３に示すように、第二筒体３０２の小径側端部３０９を第一筒体３０１の小径側端部３０６に螺合することで連結される。リング体５は第二筒体３０２の段部３２２に挿入配置される。また、リング体５を固定するためのスリーブ３２３も当該段部３２２に挿入配置される。リング体５は、第二筒体３０２を第一筒体３０１に螺合挿入したときに第一筒体３０１のリブ３０７によりスリーブ３２３を介して段部３２２に押し当てられ、固定される。
【００３０】
前記薄膜４はリング体５の中に設けられる。リング体５はその外径が前記第二筒体３０２の段部３２２の内径よりも小さい。リング幅は１０ｍｍ以下である。前記薄膜４の材料は実施の形態１の薄膜と同じである。第一筒体３０１、第二筒体３０２およびリング体５は樹脂製である。第一筒体３０１と第二筒体３０２とはねじ込み固定されているので、分割が容易であり且つ配置したリング体５を交換容易である。
【００３１】
図１４は、この補聴器に吊り下げ紐を取り付けた場合の一例を示す組立図である。上記図１０に示した補聴器３００は樹脂製であるため少々ハードな使用環境においても壊れることなく使用できる。例えば病院内では医師や看護士が補聴器を首からぶら下げて使用するに十分耐えうる。そこで、この補聴器３００では、第一筒体３０１の小径側端部３０６の外径より大きなリング３３０と、このリング３３０に設けた環３３１と、環３３１に取り付けた吊り下げ紐３３２とを有し、前記リング３３０を第一筒体３０１と第二筒体３０２とを連結する際に第一筒体３０１の小径側端部３０６に嵌め込む。これにより、補聴器３００の中央に吊り下げ紐３３２が取り付けられる。リング３３０の色や吊り下げ紐３３２の色を変更することで所有者を区別することもできる。
【００３２】
また、上記補聴器３００において、スリーブ３２３の代わりにもう一つ別のリング体５を組み込むこともできる。図１５は、そのような補聴器を示す斜視図である。図１６は、図１５の補聴器の断面図である。第一リング体３４５と第二リング体３４７とは、それぞれ別の薄膜３４４，３４６を用いることができる。例えば、第一リング体３４５の薄膜３４４を抗菌処理したガーゼとし、第二リング体３４７の薄膜３４６を防臭処理を施したガーゼとする。本構成は、異なる機能を一つの薄膜にまとめることができない場合に有効である。
【００３３】
（実施の形態４）
図１７は、この考案の実施の形態４にかかる補聴器を示す側面図である。この補聴器４００は、実施の形態１〜３の補聴器の第一筒体１の開口側を斜めにカットした形状にした点に特徴がある。その他の構成は実施の形態１〜３の補聴器と同じであるからその説明を省略する。図１８は、この補聴器の使用状態を示す説明図である。このように、第一筒体１の開口を斜めにカット（カット部４０１）することで、ユーザＵの口と相手方Ａの耳との間に高さの差があっても、第一筒体１の開口が斜めになっているので、当該補聴器４００を相手方Ａの耳付近に位置させ又は耳の周囲に押し当てることができる。このため、楽な姿勢で会話ができる。
【００３４】
（実施の形態５）
図１９は、この考案の実施の形態５にかかる補聴器を示す組立図である。この補聴器は、実施の形態３の補聴器３００の第一筒体３０１と第二筒体３０２との間にＬ字形状の第三筒体５０１を設けた点に特徴がある。その他の構成は実施の形態３の補聴器３００と同じであるからその説明を省略する。第三筒体５０１の第二筒体３０２に取り付ける端部５０２は、第一筒体３０１の端部構造と全く同じであり、第三筒体５０１の第一筒体３０１に取り付ける端部５０３は、第二筒体３０２の端部構造と全く同じである。
【００３５】
このようにすれば、相手方が寝ているときのようなユーザとの高低差がある場合でも、第一筒部３０１を相手方の耳付近に位置させ又は耳の周囲に押し当て、ユーザが下を向いて第二筒体３０２の開口に向かって話すことができる。また、第三筒体５０１は、図２０に示すように、蛇腹構造の変形可能なフレキシブル筒体５０４としても良い。このようにすれば、ユーザ及び相手方がどのような体勢であっても柔軟に対応できる。また、引くことで伸張できるので、高低差の変化にも対応できる。
【符号の説明】
【００３６】
１００  補聴器
３  本体
１  第一筒体
２  第二筒体
４  薄膜
５  リング体
【図１】
0003155506.tif 000003
【図２】
0003155506.tif 000004
【図３】
0003155506.tif 000005
【図４】
0003155506.tif 000006
【図５】
0003155506.tif 000007
【図６】
0003155506.tif 000008
【図７】
0003155506.tif 000009
【図８】
0003155506.tif 000010
【図９】
0003155506.tif 000011
【図１０】
0003155506.tif 000012
【図１１】
0003155506.tif 000013
【図１２】
0003155506.tif 000014
【図１３】
0003155506.tif 000015
【図１４】
0003155506.tif 000016
【図１５】
0003155506.tif 000017
【図１６】
0003155506.tif 000018
【図１７】
0003155506.tif 000019
【図１８】
0003155506.tif 000020
【図１９】
0003155506.tif 000021
【図２０】
0003155506.tif 000022